(57)【特許請求の範囲】
【請求項１】
魚に類似の外形を有するボディを備えており、
このボディが、第一体側面及び第二体側面を備えており、
このボディが、第一体側面が凸となるように湾曲しており、
このボディに連結されたラインに張力がかかっていない状態において、第一体側面が上であり第二体側面が下である水中姿勢が保たれるように、その重心位置が設定されており、
このラインが引かれることにより第一体側面が水受け面となるように構成されたルアー。
【請求項２】
上記ボディに取り付けられてこのボディから前方に張り出す板状のリップをさらに備えており、このリップが前後方向に対して傾斜しており、ラインが引かれることにより第一体側面及びリップが水受け面となるように構成された請求項１に記載のルアー。
【請求項３】
上記リップの幅方向中心が、ボディの幅方向中心からずれている請求項２に記載のルアー。
【請求項４】
上記ボディが、硬質材料からなる前部と軟質材料からなる後部を備えた請求項１から３のいずれかに記載のルアー。
【請求項５】
上記前部の体高方向が水平に対して傾斜した姿勢を保ちつつ水中で浮上するように、この前部の重心位置が設定されている請求項４に記載のルアー。
【請求項６】
上記後部の第一体側面及び第二体側面に、体高方向に延在する筋溝が形成された請求項４又は５に記載のルアー。
【発明の詳細な説明】
【技術分野】
【０００１】
本発明は、釣りに用いられるルアーに関する。
【背景技術】
【０００２】
オオクチバス、ブリ及びその幼魚、スズキ等の大型の魚は、小魚を補食する。これら大型の魚は、フィッシュイーターと称されている。フィッシュイーターにとって、逃げる小魚を補食することは、容易なことではない。弱った小魚は泳力に劣るので、フィッシュイーターにとって恰好のベイトである。弱った小魚は、体力のある小魚とは異なった泳ぎをする。
【０００３】
ルアー釣りでは、釣り人は、ロッド及びラインを介してルアーに伝わる力によりルアーを泳がせて、魚を誘う。弱った小魚に類似の泳ぎをルアーに起こさせてフィッシュイーターを釣り上げる釣り人が多い。一般的なルアーが、株式会社シマノ発行の「2005 Fishing Tackle Catalogue」に開示されている。
【非特許文献１】株式会社シマノ発行の「2005 Fishing Tackle Catalogue」
【発明の開示】
【発明が解決しようとする課題】
【０００４】
弱った小魚に類似の泳ぎをルアーに起こさせるには、ロッドアクションの工夫が必要である。このロッドアクションには、熟練を要する。しかも、ロッドアクションが駆使されても、ルアーの泳ぎと小魚の泳ぎとの間にはなお隔たりがある。
【０００５】
本発明の目的は、弱った魚に類似の泳ぎが容易に達成されうるルアーの提供にある。
【課題を解決するための手段】
【０００６】
本発明に係るルアーは、魚に類似の外形を有するボディを備える。このボディは、第一体側面及び第二体側面を備える。このボディは、第一体側面が凸となるように湾曲している。このルアーの重心位置は、ボディに連結されたラインの張力がかかっていない状態において、第一体側面が上であり第二体側面が下である水中姿勢が保たれるように設定されている。このルアーでは、ラインが引かれることにより第一体側面が水受け面となる。
【０００７】
好ましくは、このルアーは、板状のリップをさらに備える。このリップは、ボディに取り付けられる。このリップは、ボディから前方に張り出している。このリップは、前後方向に対して傾斜している。このルアーでは、ラインが引かれることにより、第一体側面及びリップが水受け面となる。
【０００８】
好ましくは、リップの幅方向中心は、ボディの幅方向中心からずれている。好ましくは、ボディは、硬質材料からなる前部と軟質材料からなる後部を備える。好ましくは、前部の重心位置は、前部の体高方向が水平に対して傾斜した姿勢を保ちつつ水中で浮上するように設定されている。好ましくは、後部の第一体側面及び第二体側面に、体高方向に延在する筋溝が形成される。
【発明の効果】
【０００９】
本発明に係るルアーでは、ラインの張力がかかっていない状態において、第一体側面が上向きであり第二体側面が下向きである水中姿勢が保たれる。この姿勢は、弱って倒れている魚の姿勢に類似している。ラインが引かれることにより、第一体側面が主として水の抵抗を受ける。このとき、ルアーは、第一体側面が上向きであり第二体側面が下向きである水中姿勢を維持しつつ、水に潜る。この泳ぎは、弱った魚の泳ぎに類似する。このルアーでは、弱った魚に類似する泳ぎが簡単に演出される。釣り人は、ラインを引くのみで、フィッシュイーターを釣り上げることができる。
【発明を実施するための最良の形態】
【００１０】
以下、適宜図面が参照されつつ、好ましい実施形態に基づいて本発明が詳細に説明される。
【００１１】
図１は本発明の一実施形態に係るルアー２が示された正面図であり、図２はその平面図である。図１及び図２において、左右方向はルアー２の前後方向である。図１において上下方向は、ルアー２の体高方向である。図２において上下方向は、ルアー２の幅方向である。
【００１２】
このルアー２は、ボディ４を備えている。ボディ４は、魚（具体的にはブルーギル）に類似の外形を有する。ボディ４が、ブルーギル以外の魚に類似の形状を呈してもよい。この例では、ボディ４の前部６は硬質材料からなる。この前部６は、ルアー２が引かれたときの水流によっては変形しない。硬質材料としては、ＡＢＳ樹脂が例示される。前部６に、浮力調整の目的で、発泡樹脂（例えば硬質ウレタンフォーム）が用いられてもよい。前部６が、発泡樹脂とこれを覆う外殻樹脂とから構成されてもよい。後部８は、軟質材料からなる。この後部８は、ルアー２が引かれたときの水流によって変形しうる。軟質材料としては、ポリ塩化ビニル及びゴムが例示される。後部８が、生分解性樹脂から構成されてもよい。
【００１３】
このボディ４は、頭部１０、背部１２、腹部１４、第一体側面１６、第二体側面１８及び尾部２０を備えている。この例では、第一体側面１６は魚の左体側面に相当し、第二体側面１８は魚の右体側面に相当する。このボディ４はさらに、口２２、目玉２４、背びれ２６及び腹びれ２８を備えている。
【００１４】
図２から明らかなように、ボディ４は湾曲している。このボディ４では、第一体側面１６は概ね凸状を呈し、第二体側面１８は概ね凹状を呈している。
【００１５】
このルアー２は、さらにリップ３０を備えている。リップ３０は板状であり、硬質材料からなる。リップ３０は、頭部１０の底面に取り付けられており、前方に張り出している。図１から明らかなように、リップ３０は前後方向に対して傾斜している。リップ３０は、前方に向かって体高方向下向きに傾斜している。図２から明らかなように、リップ３０の形状は左右非対称である。
【００１６】
このルアー２はさらに、第一アイ３２、第二アイ３４及び第三アイ３６を備えている。これらのアイ３２、３４、３６は、金属線が曲げられることによって形成されている。金属線の両端は、ボディ４に埋設されている。この埋設により、アイ３２、３４、３６がボディ４に取り付けられている。
【００１７】
図２に示されるように、第一アイ３２は第一体側面１６に取り付けられている。第一アイ３２には、スナップリング３８を介してフック４０（具体的にはトレブルフック）が取り付けられている。第二アイ３４は、第二体側面１８に取り付けられている。第二アイ３４にも、スナップリング３８を介してフック４０が取り付けられている。トレブルフックに代えて、シングルフック又はダブルフックが、第一アイ３２及び第二アイ３４に取り付けられてもよい。フック４０が取り付けられるアイの位置は、適宜変更されうる。フック４０が取り付けられるアイの数も、適宜変更されうる。
【００１８】
図１に示されるように、第三アイ３６には、スナップリング３８を介して連結具４２が取り付けられている。連結具４２の一端は、スナップリング３８に通されている。連結具４２の他端には、図示されていないラインが結ばれる。第三アイ３６及び連結具４２を介して、ラインがボディ４に連結される。連結具４２は、撚り戻し作用を奏する。第三アイ３６とラインとの間に連結具４２が配されることにより、ルアー２が回転してもラインが撚れない。
【００１９】
図３は、図１のルアー２の水中姿勢が示された説明図である。この図３では、背部１２が見えている。この図３に示された状態では、ライン４４に張力がかかっていない。この図３において符号Ｓで示されているのは、水面である。ルアー２は、その一部が水没した状態で、水に浮いている。このルアー２の比重は、１．０未満である。もちろん、ルアー２が水にサスペンドするように、比重調整がなされてもよい。ルアー２が水底に沈むように、比重調整がなされてもよい。
【００２０】
この図３から明らかなように、第一体側面１６は上向きであり、第二体側面１８は下向きである。換言すれば、このルアー２の水中姿勢は、魚が倒れた状態に相当する。通常の魚は、背を上向きとし腹を下向きとして泳ぐ。死んだ魚や弱った魚は、倒れた状態で水中に存在することが多い。このルアー２の水中姿勢は、死んだ魚又は弱った魚を演出する。この水中姿勢は、フィッシュイーターにアピールする。この水中姿勢は、ボディ４の重心位置の調整によって達成される。この実施形態では、ボディ４の湾曲によって重心位置が調整されている。
【００２１】
図３に示された状態において、ライン４４が矢印Ａで示される方向に引かれると、ルアー２が引っ張られる。前述のように第一体側面１６は凸なので、ルアー２が引っ張られることにより、この第一体側面１６（特に頭部１０）に大きな水の抵抗がかかる。換言すれば、第一体側面１６は水受け面である。この抵抗により、ルアー２には、矢印Ｂで示される方向に揚力がかかる。換言すれば、第一体側面１６から第二体側面１８に向かう方向に、揚力がかかる。この揚力とライン４４の張力とにより、ルアー２は矢印Ｃで示される方向に進む。ルアー２は、第一体側面１６が上向きであり第二体側面１８が下向きである水中姿勢を維持しつつ、水に潜る。この泳ぎは、弱った魚に類似する。ライン４４の張力が解除されれば、ルアー２は図３に示された状態に戻る。
【００２２】
ロッドの先端が小刻みに連続して動かされる動作は、トゥイッチングと称される。トゥイッチングにより、ルアー２にライン４４の張力がかかった状態とかからない状態とが交互に生じる。ライン４４が間欠的に引かれることによっても、ルアー２にライン４４の張力がかかった状態とかからない状態とが交互に生じる。これらの動作により、ボディ４が倒れた状態が維持されつつ、ルアー２が浮いた状態と潜った状態とが繰り返される。この動きは、弱った魚の泳ぎに類似する。この泳ぎは、フィッシュイーターにアピールする。このルアー２では、弱った魚に類似する泳ぎが簡単に演出される。
【００２３】
図１において両矢印Ｈで示されているのは、ボディ４の全高である。全高は、ひれを除いて測定される。扁平なボディ４を有するルアー２において、第一体側面１６が水受け面となった泳ぎが達成されやすい。この泳ぎが達成されやすいとの観点から、ボディ４の幅Ｗ（図４参照）に対する体高Ｈの比（Ｈ／Ｗ）は１．５以上が好ましく、２．０以上がより好ましい。比（Ｈ／Ｗ）は、５．０以下が好ましい。
【００２４】
図４は、図１のルアー２が示された拡大図である。前述のように、図３に示された状態からライン４４が引かれると、矢印Ｂの方向に力がかかってルアー２が水に潜る。さらにライン４４が引かれると、第一体側面１６と共にリップ３０も水を受ける。前述のようにリップ３０は傾斜しているので、図４において矢印Ｄで示される方向の力が、ルアー２にかかる。換言すれば、背部１２から腹部１４に向かう方向に、力がかかる。ルアー２に矢印Ｂの方向の力と矢印Ｄの方向の力とがかかるので、ルアー２は複雑な泳ぎをする。この泳ぎは、フィッシュイーターにアピールする。
【００２５】
図４において、上下方向は幅方向である。一点鎖線ＣＬ１は、ボディ４の幅方向中心線である。一点鎖線ＣＬ２は、リップ３０の幅方向中心線である。中心線ＣＬ２は、中心線ＣＬ１からずれている。リップ３０の一端４６から中心線ＣＬ１までの幅Ｗ１は、他端４８から中心線ＣＬ１までの距離Ｗ２よりも大きい。このリップ３０では、中心線ＣＬ１よりも一端４６側の面積が、中心線ＣＬ１よりも他端４８側の面積よりも大きい。このリップ３０が水を受けると、面積の相違に起因して、矢印Ｅで示される方向にモーメントが生じる。このモーメントにより、ルアー２は回転する。この回転は、フィッシュイーターにアピールする。
【００２６】
リップ３０は、重錘５０を備えている。この重錘５０は、中心線ＣＬ１よりも他端４８側に位置する。この重錘５０により、リップ３０の形状が非対称であるにもかかわらず、リップ３０の重心がほぼ中心線ＣＬ１の上に位置する。
【００２７】
図５は、図１のルアー２の泳ぎの様子が示された説明図である。ライン４４（図３参照）が引かれ続けると、ルアー２には、図４に示されるように、第一体側面１６から第二体側面１８へと向かう方向の力Ｂ、背部１２から腹部１４へと向かう方向の力Ｄ及び回転モーメントＥがかかる。従って、ルアー２は、図５において紙面垂直方向に進行しつつ、図５の矢印で示されるように位置及び姿勢を変える。換言すれば、ルアー２は、螺旋状に泳ぐ。この泳ぎは、死期が近づいた魚の泳ぎに類似する。従来のルアーでは、いかにロッドアクションに工夫がなされても、螺旋状の泳ぎは達成され得なかった。螺旋状の泳ぎは、フィッシュイーターにアピールする。
【００２８】
回転モーメントが生じて螺旋状の泳ぎが達成されやすいとの観点から、幅Ｗ２（図４参照）に対する幅Ｗ１の比（Ｗ１／Ｗ２）は１．３以上が好ましく、１．８以上がより好ましい。比（Ｗ１／Ｗ２）は１０以下が好ましい。
【００２９】
図６は、図１のルアー２の浮上の様子が示された説明図である。このルアー２の比重は水よりも小さいので、ルアー２が水に潜った段階でライン４４の張力が緩められると、ルアー２は浮上する。図６では、ルアー２が地点Ｐ１から地点Ｐ２を経て地点Ｐ３へと浮上する様子が示されている。地点Ｐ１では腹部１４が見えており、地点Ｐ２では頭部１０が見えており、地点Ｐ３では背部１２が見えている。地点Ｐ１から地点Ｐ３において、第一体側面１６は上向きであり、第二体側面１８は下向きである。
【００３０】
図６における二点鎖線は、前部６の体高方向を表している。体高方向は、水平方向に対して傾斜している。具体的には、体高方向は、腹部１４の側で高く背部１２の側で低い。この傾斜は、前部６の重心位置の設定によって達成されうる。体高方向の傾斜により、第一体側面１６も傾斜している。後部８は軟質材料からなるので、浮上時に水の抵抗を受けて変形する。一方、前部６は硬質材料からなるので、浮上時に変形しない。この前部６の第一体側面１６が傾斜することにより、浮上時にルアー２に対するモーメントが発生する。このモーメントにより、ルアー２は、浮上しつつ回転する。図６の例では、地点Ｐ１から地点Ｐ２への浮上により、ルアー２は、鉛直方向上側から見て反時計回りに９０°回転している。さらに、地点Ｐ２から地点Ｐ３への浮上により、ルアー２は、鉛直方向上側から見て反時計回りに９０°回転している。浮上しつつ回転する動きは、死期が近づいた魚の動きに類似する。この動きは、従来のルアーでは、いかにロッドアクションに工夫がなされても達成され得なかった。この動きは、フィッシュイーターにアピールする。
【００３１】
図１及び図２に示されるように、第一体側面１６及び第二体側面１８のぞれぞれには、筋溝５２が形成されている。筋溝５２は、後部８に位置している。筋溝５２は、体高方向に延在している。ライン４４が引かれることにより、この筋溝５２は水の抵抗を受ける。後部８は軟質材料からなるので、この水の抵抗により、後部８が左右に振動する。この振動は、フィッシュイーターにアピールする。第一体側面１６及び第二体側面１８のそれぞれにおいて、筋溝５２の数は３以上５以下が好ましい。筋溝５２の幅は、０．５ｍｍ以上５ｍｍ以下が好ましい。筋溝５２の深さは、０．５ｍｍ以上５ｍｍ以下が好ましい。筋溝５２の長さは、３ｍｍ以上６０ｍｍ以下が好ましい。
【産業上の利用可能性】
【００３２】
本発明に係るルアーは、湖沼、池、ダム、川、海等の種々のフィールドでの釣りに適している。
【図面の簡単な説明】
【００３３】
【図１】図１は、本発明の一実施形態に係るルアーが示された正面図である。
【図２】図２は、図１のルアーが示された平面図である。
【図３】図３は、図１のルアーの水中姿勢が示された説明図である。
【図４】図４は、図１のルアーが示された拡大図である。
【図５】図５は、図１のルアーの泳ぎの様子が示された説明図である。
【図６】図６は、図１のルアーの浮上の様子が示された説明図である。
【符号の説明】
【００３４】
２・・・ルアー
４・・・ボディ
６・・・前部
８・・・後部
１０・・・頭部
１２・・・背部
１４・・・腹部
１６・・・第一体側面
１８・・・第二体側面
３０・・・リップ
５２・・・筋溝
【図１】
0004808490.tif 000002
【図２】
0004808490.tif 000003
【図３】
0004808490.tif 000004
【図４】
0004808490.tif 000005
【図５】
0004808490.tif 000006
【図６】
0004808490.tif 000007